(57)【特許請求の範囲】
【請求項１】
筐体の内部から筐体の前方へ突出する位置へ移動し、且つ筐体の前方で立ち上り姿勢となる表示装置と、前記表示装置よりも下方に位置する操作部とを有する車載用の電子機器であって、
前記表示装置が立ち上り姿勢のときに、前記表示装置がモータの動力によって筐体の方向へ後退移動可能とされているとともに、前記表示装置が立ち上り姿勢のときに、前記操作部が、前記表示装置とは独立して、モータの動力によって、筐体の前方へ突出移動可能で且つ筐体の方向へ退行動作可能であり、
前記操作部に設けられた挿入部に記録媒体が挿入されたことを検知する検知手段が設けられ、前記検知手段により記録媒体の挿入が検知されたときに立ち上がり姿勢の前記表示装置が後退し、または前記検知手段により記録媒体の挿入が検知されたときに前記操作部が突出することを特徴とする車載用電子機器。
【請求項２】
筐体の内部から筐体の前方へ突出する位置へ移動し、且つ筐体の前方で立ち上り姿勢となる表示装置と、前記表示装置よりも下方に位置する操作部を有する車載用の電子機器であって、
前記表示装置が立ち上り姿勢のときに、前記表示装置がモータの動力によって筐体の方向へ後退移動可能とされているとともに、前記表示装置が立ち上り姿勢のときに、前記操作部が、前記表示装置とは独立して、モータの動力によって、筐体の前方へ突出移動可能で且つ筐体の方向へ退行動作可能であり、
前記操作部内に収納されていた記録媒体を、前記操作部に設けられた挿入部から排出するイジェクト釦が設けられ、前記イジェクト釦が操作されたときに立ち上がり姿勢の前記表示装置が後退移動することを特徴とする車載用電子機器。
【請求項３】
筐体の内部から筐体の前方へ突出する位置へ移動し、且つ筐体の前方で立ち上り姿勢となる表示装置と、前記表示装置よりも下方に位置する操作部を有する車載用の電子機器であって、
前記表示装置が立ち上り姿勢のときに、前記表示装置がモータの動力によって筐体の方向へ後退移動可能とされているとともに、前記表示装置が立ち上り姿勢のときに、前記操作部が、前記表示装置とは独立して、モータの動力によって、筐体の前方へ突出移動可能で且つ筐体の方向へ退行動作可能であり、
前記表示装置または前記操作部に物が接近したことを検知するセンサーが設けられ、前記センサーが検知したときに立ち上がり姿勢の前記表示装置が後退移動することを特徴とする車載用電子機器。
【発明の詳細な説明】
【０００１】
【発明の属する技術分野】
本発明は、コンソールパネルなどに取り付けられ、テレビモニタなどの表示装置が引き出される車載用の電子機器に係り、特に立ち上り姿勢にあるテレビモニタの下方に設けられた操作部または記録媒体の挿入部の操作性を向上させた車載用電子機器に関する。
【０００２】
【従来の技術】
図５は、モニタを搭載した従来の車載用の電子機器を示し、（Ａ）は収納状態を示す正面図、（Ｂ）はモニタが突出され立ち上った姿勢を示す正面図、（Ｃ）は（Ｂ）の側面図である。
【０００３】
図５に示される電子機器１は、例えば１ＤＩＮサイズからなる金属製の筐体２に納めされ、自動車の前席前方のコンソールパネルなどに埋設される。
【０００４】
図５（Ａ）に示される筐体２の内部は、図示Ｖ−Ｖ線を境に水平方向上下２段に区分され、上段（Ｙ１）側がモニタ部３、下段（Ｙ２）側が操作部４である。なお、操作部４の内方には、記録媒体操作装置が収容されている。モニタ部３には、モニタ（表示装置）Ｍが水平姿勢で収納されており、筐体２の前面にはモニタの上面Ｍ１のみが露出されている。また操作部４には操作面Ｐが露出されている。
【０００５】
前記上面Ｍ１には、モニタＭを操作するための各種の操作スイッチが設けられている。例えば符号５は音量調整用のスイッチであり、符号６はチャンネル変更用のスイッチである、また符号７は引き出し及び収納用のスイッチであり、このスイッチ７を押圧すると、後述するようにモニタＭが筐体２の前方に引き出され、あるいは前方に突出しているモニタＭが筐体２の内部に収納される。一方、操作面Ｐには、その中央にＣＤやＤＶＤなどの記録媒体の挿入及び排出を行なうための挿入部８が設けられ、その周囲には記録媒体を再生するために必要な各種の操作スイッチや調整用のスイッチなどが設けられている。この電子機器１は、例えばナビゲーションシステム用又は音響用、あるいはゲーム用などに使用され、ＤＶＤやＣＤ−ＲＯＭなどに記録されている映像情報を前記操作部４内に設けられた再生装置で再生し、その内容をモニタＭに表示可能となっている。
【０００６】
モニタ部３の内部側面には、モニタＭを筐体２の前方に引き出し、または収納するためのガイド部材９，１０がそれぞれ設けられている。このガイド部材９，１０は、モニタ部３の内部をＡ１（突出）方向およびＡ２（収納）方向へ進退自在となっている。また図５（Ｂ），（Ｃ）に示すように、このガイド部材９，１０の先端付近にには、モニタＭを回転自在に支持する支持アーム９ａ及び１０ａがそれぞれ回動自在に設けられている。
【０００７】
ガイド部材９，１０の移動は、筐体２の内部に設けられた図示しない駆動モータの動力と、この動力が伝達されるギヤ群を介して行なわれる。例えば、モニタＭが収納状態にある場合に上記スイッチ７を押圧すると、前記駆動モータが回転駆動され、ギヤ群を介してガイド部材９，１０が筐体２の外部に自動的に引き出される。そして、図５（Ｃ）に示すように、ガイド部材９，１０がＡ１側に引き出されるときには、モニタＭも一緒に筐体２の前方に引き出されるとともに、前記支持アーム９ａ，１０ａが図示しない部材によってα１方向へ回動されられる。これにより、モニタＭがα１方向に回動し、図５（Ｃ）の実線に示すような立ち上り姿勢となり、モニタＭに映像が写し出される。
【０００８】
一方、立ち上り姿勢の状態でスイッチ７を再度押圧すると、前記駆動モータが逆方向に回転駆動され、ギヤ群を介してガイド部材９，１０が筐体２の内部（Ａ２）方向に引き込まれる。この際、前記支持アーム９ａ，１０ａがα２方向に回動され、モニタＭが水平姿勢に戻されるとともに、水平姿勢が維持された状態で筐体２の内部に収納され、図５（Ａ）に示す元の収納状態へと戻る。
【０００９】
【発明が解決しようとする課題】
図５（Ｃ）に示すように、モニタＭが筐体２からＡ１（突出）方向に引き出され、立ち上り姿勢にある場合には、運転手や同乗者の視線からみたときの操作面Ｐの視覚性およびその操作性が悪くなるという問題がある。
【００１０】
すなわち、運転手や同乗者の目の位置は操作面Ｐに対して斜め上方となるが、操作面Ｐの上段側にモニタＭが突出しており、運転手や同乗者の視線を遮って操作面Ｐを隠すこととなるため、挿入部８や各操作スイッチの位置を視覚的に確認することが困難となる。よって、手探りの状態で挿入部８から排出された記録媒体を握持したり、操作面Ｐの所望の操作スイッチを探すこととなるため、誤操作を引き起こしやすくなる。
【００１１】
また操作面Ｐは、突出したモニタＭの下段側となる奥部に位置するため、所望の操作スイッチが押し難くなったり、あるいは調整用スイッチを摘まみ難くなる等の操作上の問題が生じる。
【００１２】
また、車の運転中に記録媒体を交換する必要が生じた場合には、運転上の安全性の面からも操作面Ｐの視覚性及び操作性を向上させることは重要である。
【００１３】
本発明は上記従来の課題を解決するためのものであり、立ち上り姿勢にあるモニタの下段側に位置する操作部または記録媒体の挿入部の視覚性および操作性を向上させた車載用電子機器を提供することを目的としている。
【００１４】
【課題を解決するための手段】
本発明は、筐体の内部から筐体の前方へ突出する位置へ移動し、且つ筐体の前方で立ち上り姿勢となる表示装置と、前記表示装置よりも下方に位置する操作部とを有する車載用の電子機器であって、
前記表示装置が立ち上り姿勢のときに、前記表示装置がモータの動力によって筐体の方向へ後退移動可能とされているとともに、前記表示装置が立ち上り姿勢のときに、前記操作部が、前記表示装置とは独立して、モータの動力によって、筐体の前方へ突出移動可能で且つ筐体の方向へ退行動作可能であり、
前記操作部に設けられた挿入部に記録媒体が挿入されたことを検知する検知手段が設けられ、前記検知手段により記録媒体の挿入が検知されたときに立ち上がり姿勢の前記表示装置が後退し、または前記検知手段により記録媒体の挿入が検知されたときに前記操作部が突出することを特徴とするものである。
【００１５】
本発明では、筐体の前方に突出し、立ち上り姿勢にある表示装置（モニタ）を可能な限り、筐体方向に接近させることにより、表示装置（モニタ）の陰に隠れていた操作部の前面（操作面）を運転手や同乗者から見易い位置に露出させることができるため、その操作性を向上させることが可能となる。また手探りで所望の操作スイッチを探すようなことを回避することができるため、誤操作を生じにくくすることができる。
【００１７】
また、表示装置の下段に位置する操作部自体又はその一部を奥部の位置から運転手側へ移動させることができ、操作面は運転手等から見易い位置に露出されるとともにその操作性を高めることができる。
【００１９】
これにより、表示装置と操作面とをほぼ同一平面上に位置させることが可能となる。
【００２１】
また本発明は、筐体の内部から筐体の前方へ突出する位置へ移動し、且つ筐体の前方で立ち上り姿勢となる表示装置と、前記表示装置よりも下方に位置する操作部を有する車載用の電子機器であって、
前記表示装置が立ち上り姿勢のときに、前記表示装置がモータの動力によって筐体の方向へ後退移動可能とされており、
前記操作部内に収納されていた記録媒体を前記操作部に設けられた挿入部から排出するイジェクト釦が設けられ、前記イジェクト釦が操作されたときに立ち上がり姿勢の前記表示装置が後退移動することを特徴とするものである。
【００２５】
または本発明は、筐体の内部から筐体の前方へ突出する位置へ移動し、且つ筐体の前方で立ち上り姿勢となる表示装置と、前記表示装置よりも下方に位置する操作部を有する車載用の電子機器であって、
前記表示装置が立ち上り姿勢のときに、前記表示装置がモータの動力によって筐体の方向へ後退移動可能とされているとともに、前記表示装置が立ち上り姿勢のときに、前記操作部が、前記表示装置とは独立して、モータの動力によって、筐体の前方へ突出移動可能で且つ筐体の方向へ退行動作可能であり、
前記表示装置または前記操作部に物が接近したことを検知するセンサーが設けられ、前記センサーが検知したときに立ち上がり姿勢の前記表示装置が後退移動することを特徴とするものである。
【００２７】
なお、本発明は表示装置の下方に操作部が設けられて記録媒体の挿入部が設けられていないもの、記録媒体の挿入部が設けられて操作部が設けられていないもの、操作部と記録媒体の挿入部の双方が設けられているもののいずれであってもよい。
【００２８】
【発明の実施の形態】
以下、本発明について図面を参照して説明する。
【００２９】
図１は、モニタ（表示装置）を搭載した電子機器を示し、（Ａ）は収納状態を示す正面図、（Ｂ）その側面図、図２（Ａ）は図１のモニタの立ち上り姿勢を示す正面図、（Ｂ）は（Ａ）の側面図、図３は本発明のモニタの後退動作を示す側面図である。
【００３０】
図１に示す電子機器１１では、上記従来の場合と同様に、１ＤＩＮサイズの筐体１２の中が上下２段に区分され、上段側のモニタ部１３には水平姿勢で収納されたモニタ（表示装置）Ｍが設けられ、下段側は操作部１４となっている。前記モニタＭは、薄型の液晶パネルなどからなる表示装置である。また操作部１４の内部には、ＣＤ−ＲＯＭ，ＤＶＤなどの映像又はその他の文字情報が記録された記録媒体、あるいはＭＤやカセットテープなどの音楽信号が記録された記録媒体を再生する再生部Ｅが設けられ、この再生部Ｅで再生した映像等が前記モニタＭに表示可能となっている。
【００３１】
図１（Ａ）に示すように、この電子機器１１では筐体１２が自動車のコンソールパネルなどに納められ、その前面のみがコンソールパネルから露出される。ただし、この電子機器１１では、後述するガイド部材１９，２０の先端側に回動軸が設けられ、この回動軸を中心としてモニタＭが図示β１方向に立ち上がるものとなっている（図２（Ｂ）参照）。よって、モニタＭが収納状態にある場合の前面には、モニタＭの底面Ｍ２と操作部１４の操作面Ｐが露出されるものとなっている。なお、底面Ｍ２と対向することとなる面がモニタＭの上面Ｍ１に相当する。そして、収納状態では図示Ａ２方向に上面Ｍ１が位置し（図１（Ｂ）参照）、立ち上り姿勢にある場合にはＹ１方向に向かって上面Ｍ１が位置する（図２（Ｂ）参照）。
【００３２】
前記底面Ｍ２には、モニタＭの引き出し用の操作釦１５が設けられている。また図２（Ａ）に示すように上面Ｍ１には、音声調節釦，チャンネル切換釦など各種の操作スイッチを有するとともにモニタＭの収納釦１６および後述する後退釦１７が設けられている。一方、操作面Ｐには、ＣＤ、ＤＶＤ、ＭＤ又はカセットテープなどの記録媒体を挿入又は排出するための挿入部１８や再生，停止等の操作スイッチや調節用のスイッチなど、各種スイッチが設けられている。
【００３３】
図１（Ａ）及び（Ｂ）に示すように、モニタ部１３の両側部には、Ａ１（突出）方向及びＡ２（収納）方向に移動自在なガイド部材（移動手段）１９及び２０が設けられている。ガイド部材１９及び２０は、例えば筐体１２内に設けられた図示しない駆動モータ及びギヤ群を介して、自動的に筐体１２の前方（Ａ１方向）に引き出され、また筐体１２の内部に収納される。また、モニタＭはこのガイド部材１９及び２０の先端に設けられた回動軸１９ａ，２０ａを支点として回動自在に支持されている。
【００３４】
図２（Ｂ）に示すように、前記引き出し用の操作釦１５を押圧することにより、ガイド部材１９及び２０がＡ１方向に前進する。そして、モニタＭが完全に筐体１２の外部に露出されたところで、図示しない回動手段によってモニタＭが図示β１方向に回動させられ、モニタＭは立ち上り姿勢となる。そして、モニタＭが、所定の立ち上り姿勢の位置に達したところで、自動的に又は手動操作によって液晶パネルに映像が写し出される。なお、モニタＭの傾斜角度θは、自動的にあるいは手動によって任意に調整できるものとなっている。
【００３５】
一方、モニタＭの収納は、上記収納釦１６によって行なわれる。そして、上記引き出し動作の場合とは反対の動作、すなわちモニタＭがβ２方向に傾倒し（図２（Ｂ）参照）、水平姿勢となった後にガイド部材１９，２０がＡ２方向に後退して元の収納状態へと戻る。
【００３６】
また、図３に示すように、この電子機器１１ではモニタＭが立ち上り姿勢にあり、且つ前方に突出した位置にある状態において、上述した後退釦１７を押圧することにより又はその他の検知手段によって検知されたときに、ガイド部材１９及び２０のみがＡ２（収納）方向に後退させられ、モニタＭが筐体１２に接近した位置に停止するように動作する。よって、モニタＭの下段に位置する操作部１４の前面である操作面Ｐは、モニタＭの陰に隠れる割合が減って露出される割合が高くなるため、従来にくらべ操作面Ｐに設けられた各種の操作スイッチや挿入部１８などの位置を視覚しやすくなる。よって、操作面Ｐの操作性を向上させることができ、また挿入部１８に記録媒体を挿入しやすく、また挿入部１８から排出された記録媒体を取り出しやすくすることができる。
【００３７】
さらに、実際の車内においては、モニタＭは車のコンソールパネル側に接近することとなるため、車のシフトレバーとの間にスペース的な余裕を得ることができる。よって、車のシフトレバーの操作の妨げとなることを防止できることとなる。
【００３８】
また、図３に示す上記後退移動の場合には、傾斜角度θの姿勢にあるモニタＭを一度垂直な姿勢に移行させてからＡ２方向に後退させることが好ましく、これにより、その上面Ｍ１側がコンソールパネルやその他の車両側設備に当接することなくモニタＭを筐体２側により接近させることができるため、視覚性及び操作性をさらに向上させることが可能となる。
【００３９】
なお、その他の検知手段としては、例えば後退釦１７を収納釦１６と兼用させたものを使用することができ、またモニタＭの画面上に設けたタッチパネルに触れたことを検知してモニタＭが後退するもの、あるいはモニタＭや操作面Ｐに人間の手などが近づいたこと、又は人間の声などをセンサーが検知したことに反応させてモニタＭを後退させることが可能である。また、記録媒体が挿入部１８に挿入されたことを検知するもの及び記録媒体を排出させるためのイジェクト釦が押されたことを検知するものであっても良い。さらにはリモコンによる遠隔操作などによってガイド部材１９，２０が筐体内部方向に移動してモニタＭが後退するものであってもよい。
【００４１】
さらに、操作部１４の両側部には、モニタＭのガイド部材１９，２０と同様にＡ１およびＡ２方向に進退移動するガイド部材２９，３０が設けられ、このガイド部材２９，３０に操作部１４が支持されている。すなわち、図４（Ａ）（Ｂ）に示すように、操作部１４のみを独立してＡ１及びＡ２方向に移動させることができるものとなっている。
【００４２】
操作部１４の移動は、引き出されたモニタＭ（またはガイド部材１９，２０の先端）の真下の位置まで、又は操作面Ｐがこの位置よりもわずかにＡ１側に突出する位置までなされる。よって、モニタＭの下段に操作面Ｐの全体を完全に露出させることができるため、さらに視覚性及び操作性に優れた車載用の電子機器とすることができる。
【００４３】
また、ガイド部材１９，２０が後退して、モニタＭが筐体１２に接近した位置に停止される場合であっても、そのモニタＭの位置に合わせて操作部１４を移動させてモニタＭの真下に位置させることにより、視覚性および操作性が改善されるとともに、シフトレバー操作のためのスペース的な余裕を得ることもできる。よって、挿入部１８への記録媒体の挿入を容易とすることができる。
【００４４】
また上記においては、操作部１４全体が進退移動するものに限られず、操作部１４の一部が進退移動するものであってもよい。例えば、操作面Ｐのある部分に特定の操作スイッチを集約させ、この操作スイッチが集約する部分のみが移動するもの、あるいは挿入部１８のみが進退移動するものであってもよい。
【００４５】
なお、ガイド部材２９，３０又は操作部１４の一部、あるいは挿入部１８のＡ１およびＡ２方向への移動は、モータの駆動力を利用するのが一般的である。
【００４６】
【発明の効果】
以上詳述した本発明によれば、操作面を露出させることが可能となるため、操作面の視覚性が向上される。よって、各種操作スイッチの操作や挿入部への記録媒体の挿入を容易なものとすることができる。
【００４７】
また、表示装置を筐体に接近する方向に移動させることができるため、車のシフトレバーの操作の妨げとなることが防止される。
【図面の簡単な説明】
【図１】本発明におけるモニタを搭載した電子機器を示し、（Ａ）は収納状態を示す正面図、（Ｂ）その側面図、
【図２】（Ａ）は図１のモニタの立ち上り姿勢を示す正面図、（Ｂ）は（Ａ）の側面図、
【図３】電子機器の動作を示す側面図、
【図４】電子機器の動作を示す側面図、
【図５】モニタを搭載した従来の電子機器を示し、（Ａ）は収納状態を示す正面図、（Ｂ）はモニタの立ち上り状態を示す正面図、（Ｃ）は（Ｂ）の側面図、
【符号の説明】
１１  電子機器
１２  筐体
１３  モニタ部
１４  操作部
１５  引き出し用の操作釦
１６  収納釦
１７  後退釦
１８  挿入部
１９，２０  ガイド部材（移動手段）
２９，３０  ガイド部材
Ｍ  モニタ（表示装置）
Ｐ  操作面
【図１】
0003841543.tif 000002
【図２】
0003841543.tif 000003
【図３】
0003841543.tif 000004
【図４】
0003841543.tif 000005
【図５】
0003841543.tif 000006